(57)【要約】【課題】この発明は、コピー制御機能により出力不可状態になったことを、受信側の機器で容易に検出し得るようにしたコンテンツ送信装置及びコンテンツ送信方法を提供することを目的としている。また、この発明は、送信側の機器がコピー制御機能により出力不可状態になったことを容易に検出し得るコンテンツ受信装置及びコンテンツ受信方法を提供することを目的としている。【解決手段】入力コンテンツからコピー制御情報を検出するコピー制御情報検出部２０と、検出されたコピー制御情報の内容を判定するコピー制御情報判定部２１と、コンテンツの出力不可が判定された状態でコンテンツを出力不可状態に制御するコンテンツ出力制御部１８と、出力不可状態に制御されたコンテンツに代えて、コンテンツが出力不可状態であることを示す出力不可情報を出力する出力不可情報出力部１９とを備える。【選択図】    図２
2005025270.tif 000002
【特許請求の範囲】
【請求項１】
コピー制御情報を含むコンテンツを入力し、該コンテンツを出力可能なコンテンツ送信装置において、
入力された前記コンテンツから前記コピー制御情報を検出するコピー制御情報検出手段と、
前記検出されたコピー制御情報から前記コンテンツの出力が可能かを判定するコピー制御情報判定手段と、
前記コンテンツの出力不可が判定された場合、前記コンテンツを出力不可状態に制御するコンテンツ出力制御手段と、
このコンテンツ出力制御手段により出力不可状態に制御されたコンテンツに代えて、前記コンテンツが出力不可状態であることを示す出力不可情報を出力する出力不可情報出力手段とを具備したことを特徴とするコンテンツ送信装置。
【請求項２】
前記出力不可情報出力手段は、前記出力不可情報を、アナログ映像信号のＶＢＩに付加して出力することを特徴とする請求項１記載のコンテンツ送信装置。
【請求項３】
前記出力不可情報出力手段は、前記出力不可情報を、ＩＥＥＥ１３９４デジタル映像データのＩｓｏｃｈｒｏｎｏｕｓパケットに含まれるＣＩＰヘッダに付加して出力することを特徴とする請求項１記載のコンテンツ送信装置。
【請求項４】
前記出力不可情報出力手段は、前記出力不可情報を、イーサネットを介してＲＴＰで出力されるデジタル映像データのＲＴＰ拡張ヘッダに付加して出力することを特徴とする請求項１記載のコンテンツ送信装置。
【請求項５】
前記出力不可情報出力手段は、前記出力不可情報を、イーサネットを介してＨＴＴＰで出力されるデジタル映像データのＨＴＴＰヘッダに付加して出力することを特徴とする請求項１記載のコンテンツ送信装置。
【請求項６】
コピー制御情報を含むコンテンツを入力し、該コンテンツを出力可能とするコンテンツ送信方法において、
入力された前記コンテンツから前記コピー制御情報を検出する工程と、
検出された前記コピー制御情報から前記コンテンツの出力が可能かを判定する工程と、
前記コンテンツの出力不可が判定された場合、前記コンテンツを出力不可状態に制御する工程と、
出力不可状態に制御されたコンテンツに代えて、前記コンテンツが出力不可状態であることを示す出力不可情報を出力する工程とを具備したことを特徴とするコンテンツ送信方法。
【請求項７】
コンテンツを入力して所定の信号処理を施すコンテンツ受信装置において、
入力された前記コンテンツからコピー制御情報に基づいて付加された出力不可情報を抽出する出力不可情報抽出手段と、
前記抽出された出力不可情報を判定する出力不可情報判定手段と、
この出力不可情報判定手段の判定結果に基づいて、前記コンテンツが出力不可状態となっていることを通知する出力不可情報通知手段とを具備したことを特徴とするコンテンツ受信装置。
【請求項８】
出力不可情報抽出手段は、方式の異なる複数種類のコンテンツから、前記コピー制御情報に基づいて付加された出力不可情報をそれぞれ抽出するように構成され、
前記出力不可情報判定手段は、前記複数種類のコンテンツから抽出した各出力不可情報の内容をそれぞれ判定するように構成され、
前記出力不可情報通知手段は、前記出力不可情報判定手段の各判定結果に基づいて、出力不可状態となっているコンテンツを通知するように構成されることを特徴とする請求項７記載のコンテンツ受信装置。
【請求項９】
入力された前記コンテンツを記録するコンテンツ記録手段と、
このコンテンツ記録手段で記録されたコンテンツに対応させて、前記出力不可情報判定手段の判定結果を記録する出力不可情報記録手段とを具備したことを特徴とする請求項７または８記載のコンテンツ受信装置。
【請求項１０】
前記出力不可情報判定手段により出力不可状態であると判定された前記コンテンツに対して、前記コンテンツ記録手段による記録を停止させるコンテンツ記録停止手段を具備したことを特徴とする請求項９記載のコンテンツ受信装置。
【請求項１１】
方式の異なる複数種類のコンテンツを入力し、各コンテンツにそれぞれ所定の信号処理を施すコンテンツ受信方法において、
入力された前記複数種類のコンテンツから、コピー制御情報に基づいて付加された出力不可情報をそれぞれ抽出する工程と、
抽出された各出力不可情報の内容をそれぞれ判定する工程と、
各出力不可情報の判定結果に基づいて、出力不可状態となっている前記コンテンツを通知する工程とを具備したことを特徴とするコンテンツ受信方法。
【請求項１２】
入力された各コンテンツを記録する工程と、
記録された各コンテンツに対応させて、前記出力不可情報の判定結果をそれぞれ記録する工程とを具備したことを特徴とする請求項１１記載のコンテンツ受信方法。
【請求項１３】
出力不可状態であると判定された前記コンテンツの記録を停止させる工程を具備したことを特徴とする請求項１２記載のコンテンツ受信方法。
【発明の詳細な説明】
【０００１】
【発明の属する技術分野】
この発明は、コピー制御情報に基づいてコンテンツの送信を制限するコンテンツ送信装置及びコンテンツ送信方法に関する。また、この発明は、上記したコンテンツ送信装置及びコンテンツ送信方法に基づいて送信されたコンテンツを受信するコンテンツ受信装置及びコンテンツ受信方法に関する。
【０００２】
【従来の技術】
周知のように、近年では、ＩＥＥＥ（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ，ｉｎｃ．）１３９４規格に準拠したデジタルインターフェースを用いたシリアルバスにより、複数のＡＶ機器を自由な形態で接続したネットワークシステムを構築することが可能になっている。
【０００３】
このＩＥＥＥ１３９４シリアルバスは、特に、ＳＴＢ（Ｓｅｔ  Ｔｏｐ  Ｂｏｘ）のようなデジタル放送受信機器と、Ｄ−ＶＨＳ（Ｄｉｇｉｔａｌ−Ｖｉｄｅｏ  Ｈｏｍｅ  Ｓｙｓｔｅｍ）機器のようなデジタル記録再生機器とのデジタルインターフェースに用いられ、高品位な記録再生システムを構築している。
【０００４】
そして、このＩＥＥＥ１３９４シリアルバスを用いたネットワークシステムでは、シリアルバス上におけるコンテンツの著作権を保護するために、ＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）規格が定められており、シリアルバス上に接続された各機器がこの規格に対応するように設定されている。
【０００５】
このＤＴＣＰ規格対応の機器には、著作権が主張されているコンテンツをむやみにコピーすることができないように、コンテンツ（アナログ映像信号、アナログ音声信号及びデジタルデータ等を含む）の出力を制御するコピー制御機能が搭載されている。
【０００６】
例えば衛星デジタル放送を受信するデジタル放送受信機器の場合には、受信したＭＰＥＧ（Ｍｏｖｉｎｇ  Ｐｉｃｔｕｒｅ  Ｅｘｐｅｒｔｓ  Ｇｒｏｕｐ）２−ＴＳ（Ｔｒａｎｓｐｏｒｔ  Ｓｔｒｅａｍ）のＰＭＴ（Ｐｒｏｇｒａｍ  Ｍａｐ  Ｔａｂｌｅ）に含まれるＣＣＩ（Ｃｏｐｙ  Ｃｏｎｔｒｏｌ  Ｉｎｆｏｒｍａｔｉｏｎ）のビット情報から、コピー制御内容を解釈する。
【０００７】
そして、コピー制御の対象がアナログ映像信号出力であれば、ＣＧＭＳ−Ａ（Ｃｏｐｙ  Ｇｅｎｅｒａｔｉｏｎ  Ｍａｎａｇｅｍｅｎｔ  Ｓｙｓｔｅｍ  ｏｎ  Ａｎａｌｏｇ  ｖｉｄｅｏ  ｉｎｔｅｒｆａｃｅ）とＡＰＳ（Ａｎａｌｏｇ  Ｐｒｏｔｅｃｔｉｏｎ  Ｓｙｓｔｅｍ）とを、アナログ映像信号に付加することでコピー制御を行なっている。
【０００８】
また、コピー制御の対象が光デジタル音声データ出力であれば、ＳＣＭＳ（Ｓｅｒｉａｌ  Ｃｏｐｙ  Ｍａｎａｇｅｍｅｎｔ  Ｓｙｓｔｅｍ）を光デジタル音声データ出力に付加して、コピー制御を行なっている。さらに、コピー制御の対象がＩＥＥＥ１３９４デジタルデータ出力であれば、ＥＭＩ（Ｅｎｃｒｙｐｔｉｏｎ  Ｍｏｄｅ  Ｉｎｄｉｃａｔｅｒ）とＤＣＴＰ  ｄｅｓｃｒｉｐｔｏｒとをＩＥＥＥ１３９４デジタルデータに付加することにより、コピー制御を行なっている。
【０００９】
ところで、このようなコピー制御機能の中には、コンテンツの出力を行なわないように制御する、いわゆる「出力不可」という状態が存在する。実際、アナログ映像信号の出力不可の場合には、アナログ映像信号に代えて黒画面または青画面を表示させる代替信号を出力するようにしている。
【００１０】
この場合、機器によっては、「出力不可のため表示できません」といったメッセージ情報を、ＯＳＤ（Ｏｎ  Ｓｃｒｅｅｎ  Ｄｉｓｐｌａｙ）機能により、黒画面または青画面を表示させる代替信号に付加して出力するものもある。このような出力を受信した機器では、メッセージ情報により送信側の機器が「出力不可」の状態であることを認識することができる。
【００１１】
しかしながら、上記のようなメッセージ情報送出機能を備えた機器は少なく、大方の機器は、単に黒画面または青画面を表示させる代替信号を出力しているだけである。このため、受信側の機器では、黒画面または青画面を表示させる代替信号が受信されるだけとなり、送信側の機器が「出力不可」の状態になっていることを認識し難いという問題が生じている。
【００１２】
また、ＩＥＥＥ１３９４デジタルデータの出力不可の場合にも、同期通信の一種であるＩｓｏｃｈｒｏｎｏｕｓ伝送で映像データが含まれないＥｍｐｔｙパケットを代替信号として出力しているだけであって、やはり、受信側の機器では、ユーザが「出力不可」状態であることを認識し難いという問題が生じている。
【００１３】
特許文献１には、コンテンツに関する詳細情報について記述したメタデータを定義することで、コンテンツに対する様々な制御をメタデータで行なうことを可能にしたコンテンツ蓄積管理方法が開示されている。
【００１４】
しかしながら、この特許文献１では、上記したように、コピー制御機能により送信側の機器が出力不可状態になったことを、受信側の機器で認識し難いという問題に対処することについては、何らの記載もなされていないものである。
【００１５】
【特許文献１】
特開２００２−２５１３２８号公報
【００１６】
【発明が解決しようとする課題】
そこで、この発明は上記事情を考慮してなされたもので、コピー制御機能により出力不可状態になったことを、受信側の機器で容易に検出し得るようにしたコンテンツ送信装置及びコンテンツ送信方法を提供することを目的とする。また、この発明は、送信側の機器がコピー制御機能により出力不可状態になったことを容易に検出し得るコンテンツ受信装置及びコンテンツ受信方法を提供することを目的とする。
【００１７】
【課題を解決するための手段】
この発明に係るコンテンツ送信装置は、コピー制御情報を含むコンテンツを入力し、該コンテンツを出力可能なものを対象としている。そして、入力されたコンテンツからコピー制御情報を検出するコピー制御情報検出手段と、検出されたコピー制御情報からコンテンツの出力が可能かを判定するコピー制御情報判定手段と、コンテンツの出力不可が判定された場合、コンテンツを出力不可状態に制御するコンテンツ出力制御手段と、このコンテンツ出力制御手段により出力不可状態に制御されたコンテンツに代えて、コンテンツが出力不可状態であることを示す出力不可情報を出力する出力不可情報出力手段とを備えるようにしたものである。
【００１８】
また、この発明に係るコンテンツ送信方法は、コピー制御情報を含むコンテンツを入力し、該コンテンツを出力可能とする方法を対象としている。そして、入力されたコンテンツからコピー制御情報を検出する工程と、検出されたコピー制御情報からコンテンツの出力が可能かを判定する工程と、コンテンツの出力不可が判定された場合、コンテンツを出力不可状態に制御する工程と、出力不可状態に制御されたコンテンツに代えて、コンテンツが出力不可状態であることを示す出力不可情報を出力する工程とを備えるようにしたものである。
【００１９】
さらに、この発明に係るコンテンツ受信装置は、コンテンツを入力して所定の信号処理を施すものを対象としている。そして、入力されたコンテンツからコピー制御情報に基づいて付加された出力不可情報を抽出する出力不可情報抽出手段と、抽出された出力不可情報の内容を判定する出力不可情報判定手段と、この出力不可情報判定手段の判定結果に基づいて、コンテンツが出力不可状態となっていることを通知する出力不可情報通知手段とを備えるようにしたものである。
【００２０】
また、この発明に係るコンテンツ受信方法は、方式の異なる複数種類のコンテンツを入力し、各コンテンツにそれぞれ所定の信号処理を施す方法を対象としている。そして、入力された複数種類のコンテンツから、コピー制御情報に基づいて付加された出力不可情報をそれぞれ抽出する工程と、抽出された各出力不可情報の内容をそれぞれ判定する工程と、各出力不可情報の判定結果に基づいて、出力不可状態となっているコンテンツを通知する工程とを備えるようにしたものである。
【００２１】
上記のような構成及び方法によれば、コピー制御情報に基づいて出力不可状態に制御されたコンテンツに代えて、コンテンツが出力不可状態であることを示す出力不可情報を出力するようにしたので、コピー制御機能により出力不可状態になったことを、受信側の機器で容易に検出し得るようにしたコンテンツ送信装置及びコンテンツ送信方法を提供することが可能となる。
【００２２】
また、入力されたコンテンツからコピー制御情報に基づいて付加された出力不可情報を抽出し、その内容の判定結果に基づいてコンテンツが出力不可状態となっていることを通知するようにしたので、送信側の機器がコピー制御機能により出力不可状態になったことを容易に検出し得るコンテンツ受信装置及びコンテンツ受信方法を提供することが可能となる。
【００２３】
【発明の実施の形態】
以下、この発明の実施の形態について、図面を参照して詳細に説明する。図１は、この実施の形態で説明するネットワークシステムの概略を示している。図１において、符号１１はデジタル放送受信機器である。
【００２４】
このデジタル放送受信機器１１は、アンテナ１２で受信した衛星デジタル放送信号から所望のチャンネルのコンテンツを抽出し、アナログ及びデジタルのいずか一方または両方の方式で出力することができる。
【００２５】
このうち、アナログのコンテンツは、映像及び音声情報成分を含み、アナログケーブル１３を介してデジタル放送受信機器１１の外部に導出される。また、デジタルのコンテンツは、映像、音声及び文字情報成分を含み、ＩＥＥＥ１３９４シリアルバス１４を介してデジタル放送受信機器１１の外部に導出される。
【００２６】
そして、このデジタル放送受信機器１１から出力されたコンテンツは、記録再生機器１５に供給されて記録再生に供される。この記録再生機器１５は、アナログケーブル１３を通して入力されたコンテンツをアナログ記録再生する機能と、ＩＥＥＥ１３９４シリアルバス１４を通して入力されたコンテンツをデジタル記録再生する機能とを有している。
【００２７】
図２は、デジタル放送受信機器１１の詳細を示している。すなわち、上記アンテナ１２で受信された衛星デジタル放送信号は、チューナ部１６に供給されて所望のチャンネルのコンテンツが抽出される。このチューナ部１６で抽出されたコンテンツは、信号処理部１７に供給されてエラー訂正処理及び復調処理等が施された後、アナログ及びデジタルの各方式で出力される。
【００２８】
この信号処理部１７からアナログ及びデジタルの各方式で出力されたコンテンツは、それぞれ、コンテンツ出力制御部１８及び出力不可情報出力部１９を介した後、アナログケーブル１３及びＩＥＥＥ１３９４シリアルバス１４を介して、デジタル放送受信機器１１の外部に導出される。
【００２９】
また、上記チューナ部１６で抽出されたコンテンツは、コピー制御情報検出部２０に供給されてコピー制御情報が検出される。このコピー制御情報検出部２０で検出されたコピー制御情報は、コピー制御情報判定部２１に供給されてその内容が判定される。そして、上記コンテンツ出力制御部１８及び出力不可情報出力部１９は、コピー制御情報判定部２１の判定結果に基づいて、その動作が制御されている。
【００３０】
今、コピー制御情報検出部２０で検出されたコピー制御情報が、アナログ及びデジタルの各方式のコンテンツに対して出力制限を行なわない内容である場合、コンテンツ出力制御部１８及び出力不可情報出力部１９は、信号処理部１７からアナログ及びデジタルの各方式で出力されたコンテンツをそのまま通過させて、アナログケーブル１３及びＩＥＥＥ１３９４シリアルバス１４に供給するように動作する。
【００３１】
また、コピー制御情報検出部２０で検出されたコピー制御情報が、アナログ映像信号に出力制限を加える内容である場合、コンテンツ出力制御部１８は、信号処理部１７から出力されたアナログ映像信号を出力しないように動作する。
【００３２】
このとき、出力不可情報出力部１９は、信号処理部１７から出力されるアナログ映像信号に代えて、黒画面または青画面を表示させる代替アナログ映像信号をアナログケーブル１３に出力するように動作する。
【００３３】
また、このとき、出力不可情報出力部１９は、アナログケーブル１３に出力する代替アナログ映像信号のＶＢＩ（Ｖｅｒｔｉｃａｌ  Ｂｌａｎｋｉｎｇ  Ｉｎｔｅｒｖａｌ）に挿入されているデジタル制御情報の空きビットに設定されたアナログ映像出力不可ビットを、アナログ映像信号の出力が不可であることを示す「１」に設定している。
【００３４】
図３は、アナログ映像信号のＶＢＩに挿入されるデジタル制御情報のデータフォーマットを示している。このデジタル制御情報は、２０ビットで構成され、第３から第６ビットがコピー世代制御情報であり、第７及び第８ビットがＣＧＭＳ情報であり、第９及び第１０ビットがＡＰＳ情報であり、第１５〜第２０ビットがＣＲＣＣ（Ｃｙｃｌｉｃ  Ｒｅｄｕｎｄａｎｃｙ  Ｃｈｅｃｋ  Ｃｏｄｅ）となっている。
【００３５】
このデジタル制御情報のうちの空きビットの１つである第１２ビットを、アナログ映像信号の出力不可を示すビットに設定する。そして、コピー制御情報が、アナログ映像信号に出力制限を加える内容である場合、出力不可情報出力部１９は、アナログ映像出力不可ビットを、アナログ映像信号の出力が不可であることを示す「１」に設定する。
【００３６】
なお、コピー制御情報が、アナログ映像信号に出力制限を加えない内容である場合には、出力不可情報出力部１９は、アナログ映像出力不可ビットを「０」に設定する。
【００３７】
このため、前記記録再生機器１５では、アナログケーブル１３を介して供給されたアナログ映像信号のＶＢＩに挿入されているデジタル制御情報のアナログ映像出力不可ビットの内容を検出することによって、デジタル放送受信機器１１がアナログ映像信号の出力不可状態にあるか否かを容易に判別することができるようになる。
【００３８】
また、コピー制御情報検出部２０で検出されたコピー制御情報が、ＩＥＥＥ１３９４デジタル映像データに出力制限を加える内容である場合、コンテンツ出力制御部１８は、信号処理部１７から出力されたＩＥＥＥ１３９４デジタル映像データを出力しないように動作する。
【００３９】
このとき、出力不可情報出力部１９は、信号処理部１７から出力されたＩＥＥＥ１３９４デジタル映像データに代えて、Ｉｓｏｃｈｒｏｎｏｕｓ伝送で映像データが含まれないＥｍｐｔｙパケットを代替データとしてＩＥＥＥ１３９４シリアルバス１４に出力するように動作する。
【００４０】
また、このとき、出力不可情報出力部１９は、ＩＥＥＥ１３９４シリアルバス１４に出力するＥｍｐｔｙパケットに含まれるＣＩＰ（Ｃｏｍｍｏｎ  Ｉｓｏｃｈｒｏｎｏｕｓ  Ｐａｃｋｅｔ）ヘッダの空きビットに設定されたＩＥＥＥ１３９４デジタル映像出力不可ビットを、ＩＥＥＥ１３９４デジタル映像データの出力が不可であることを示す「１」に設定している。
【００４１】
図４は、ＩＥＥＥ１３９４シリアルバス１４上でＩｓｏｃｈｒｏｎｏｕｓ伝送されるＭＰＥＧ２−ＴＳの１パケットの構造を示している。すなわち、１パケットには、Ｉｓｏｃｈｒｏｎｏｕｓヘッダ、ＣＩＰヘッダ及びＭＰＥＧ２対応のデジタルデータが含まれている。このうち、映像データが含まれないものがＥｍｐｔｙパケットとなる。
【００４２】
図５は、ＣＩＰヘッダの詳細を示している。このＣＩＰヘッダは、１バイトが８ビットでなる８バイト（２クアドレット）で構成されている。このうち、最初の４バイト（第１クアドレット）には、デジタル放送受信機器１１のノードＩＤ（ｉｄｅｎｔｉｆｉｃａｔｉｏｎ）を示すＳＩＤ（Ｓｏｕｒｃｅ  ｎｏｄｅ  ＩＤ）と、分割された１データブロックのサイズを示すＤＢＳ（Ｄａｔａ  Ｂｌｏｃｋ  Ｓｉｚｅ  ｉｎ  ｑｕａｄｌｅｔｓ）と、分割されたデータブロック数を示すＦＮ（Ｆｒａｃｔｉｏｎ  Ｎｕｍｂｅｒ）と、分割するために付加されたクアドレット数を示すＱＰＣ（Ｑｕａｄｌｅｔ  Ｐａｄｄｉｎｇ  Ｃｏｕｎｔ）と、ソースパケットヘッダの有無を示すＳＰＨ（Ｓｏｕｒｃｅ  Ｐａｃｋｅｔ  Ｈｅａｄｅｒ  ｐｒｅｓｅｎｔ）と、データブロック連続カウンタを示すＤＢＣ（Ｄａｔａ  Ｂｌｏｃｋ  Ｃｏｎｔｉｎｕｉｔｙ  ｃｏｕｎｔｅｒ）とが含まれている。
【００４３】
また、後の４バイト（第２クアドレット）には、パケットデータのフォーマットを示すＦＭＴ（Ｆｏｒｍａｔ  ＩＤ）と、形式依存フィールドを示すＦＤＦ（Ｆｏｒｍａｔ  Ｄｅｐｅｎｄｅｎｔ  Ｆｉｅｌｄ）と、同期をとるための時間情報を挿入するためのＳＹＴ（Ｓｙｎｃ  Ｔｉｍｅ）とが含まれている。
【００４４】
このＣＩＰヘッダのうちの第１クアドレットのＳＨＰに隣接する空きビットを、ＩＥＥＥ１３９４デジタル映像データの出力不可を示すビットに設定する。そして、コピー制御情報が、ＩＥＥＥ１３９４デジタル映像データに出力制限を加える内容である場合、出力不可情報出力部１９は、ＩＥＥＥ１３９４デジタル映像出力不可ビットを、ＩＥＥＥ１３９４デジタル映像データの出力が不可であることを示す「１」に設定する。
【００４５】
なお、コピー制御情報が、ＩＥＥＥ１３９４デジタル映像データに出力制限を加えない内容である場合には、出力不可情報出力部１９は、ＩＥＥＥ１３９４デジタル映像出力不可ビットを「０」に設定する。
【００４６】
このため、前記記録再生機器１５では、ＩＥＥＥ１３９４シリアルバス１４を介して供給されたＭＰＥＧ２−ＴＳパケットのＣＩＰヘッダに挿入されているＩＥＥＥ１３９４デジタル映像出力不可ビットの内容を検出することにより、デジタル放送受信機器１１がＩＥＥＥ１３９４デジタル映像データの出力不可状態にあるか否かを容易に判別することができるようになる。
【００４７】
図６は、デジタル放送受信機器１１がコピー制御情報に基づいて、コンテンツの出力不可状態であるか否かを示す情報を付加する動作をまとめたフローチャートを示している。
【００４８】
まず、デジタル放送受信機器１１が所望のチャンネルのコンテンツの受信を開始（ステップＳ１）すると、ステップＳ２で、受信したコンテンツからＥｍｂｅｄｄｅｄＣＣＩやＥＭＩのようなコピー制御情報の検出を行ない、ステップＳ３で、現在受信しているコンテンツに対して、出力毎に出力不可状態にあるか否かの判定が行なわれる。
【００４９】
コンテンツが出力不可でないと判断された場合（ＮＯ）には、そのまま処理が終了（ステップＳ６）され、以下、受信したコンテンツの出力が自由に行なわれる。
【００５０】
また、上記ステップＳ３で出力不可であると判断されたコンテンツが存在する場合（ＹＥＳ）には、ステップＳ４で、そのコンテンツが出力されないように制限し、ステップＳ５で、そのコンテンツに代えて出力される代替信号に、コンテンツが出力不可状態にあることを示す情報（出力不可情報）を付加して出力し、処理を終了（ステップＳ６）する。
【００５１】
図７は、前記記録再生機器１５の詳細を示している。すなわち、前記アナログケーブル１３及びＩＥＥＥ１３９４シリアルバス１４を介して供給されたアナログ及びデジタルの各方式のコンテンツは、それぞれ、信号処理部２２に供給されて所定の信号処理が施された後、記録部２３によって記録される。なお、この記録再生機器１５は、記録部２３に記録されたコンテンツを再生して、アナログ及びデジタルの各方式で出力する機能も備えている。
【００５２】
ここで、アナログケーブル１３及びＩＥＥＥ１３９４シリアルバス１４を介して供給されたアナログ及びデジタルの各方式のコンテンツは、それぞれ、出力不可情報抽出部２４に供給されて、入力毎に出力不可情報が抽出される。
【００５３】
すなわち、この出力不可情報抽出部２４は、アナログケーブル１３を介して供給されたアナログ映像信号に対しては、図３に示したデジタル制御情報のアナログ映像出力不可ビットの値を抽出する。
【００５４】
また、ＩＥＥＥ１３９４シリアルバス１４を介して供給されたＩＥＥＥ１３９４デジタル映像データに対しては、図５に示したＣＩＰヘッダのＩＥＥＥ１３９４デジタル映像映像出力不可ビットの値を抽出する。
【００５５】
この出力不可情報抽出部２４で抽出された各出力不可ビットの値は、出力不可情報判定部２５に供給されて、各出力不可ビット毎に、その内容が「１」つまり出力不可状態であるか、「０」つまり出力可能状態であるかが判定される。
【００５６】
この出力不可情報判定部２５で判定された各出力不可ビット毎の判定結果は、出力不可情報通知部２６に供給される。この出力不可情報通知部２６は、各出力不可ビット毎の判定結果に基づいて、「出力不可」の状態となっているコンテンツを通知するように機能する。
【００５７】
すなわち、この出力不可情報通知部２６は、アナログ映像出力不可ビットの値が「１」であった場合、デジタル放送受信機器１１がアナログ映像信号を出力不可の状態になっていることを通知する。
【００５８】
また、ＩＥＥＥ１３９４デジタル映像出力不可ビットの値が「１」であった場合には、デジタル放送受信機器１１がＩＥＥＥ１３９４デジタル映像データを出力不可の状態になっていることを通知する。
【００５９】
このため、記録再生機器１５は、デジタル放送受信機器１１が、コピー制御機能により、どのコンテンツの出力不可状態になっているかを容易に検出することが可能となる。
【００６０】
なお、出力不可情報通知部２６による通知形態としては、例えば、記録部２３に記録されたコンテンツを表示するために設けられる表示部等に、どのコンテンツが出力不可状態になっているかを映像表示することが考えられる。
【００６１】
図８は、記録再生機器１１が出力不可情報に基づいて、デジタル放送受信機器１１がコンテンツの出力不可状態であることを通知する動作をまとめたフローチャートを示している。
【００６２】
まず、記録再生機器１５がデジタル放送受信機器１１から種々の方式で送出されるコンテンツを入力することにより、処理が開始（ステップＳ７）される。すると、ステップＳ８で、入力された各コンテンツに含まれる出力不可ビットの値が抽出され、ステップＳ９で、各出力不可ビットの値が出力不可状態に対応しているか否かの判定が行なわれる。
【００６３】
出力不可ビットの値が出力不可状態に対応していないと判断されたコンテンツが存在する場合（ＮＯ）には、そのまま処理が終了（ステップＳ１１）され、以下、その入力コンテンツの記録が自由に行なわれる。
【００６４】
また、上記ステップＳ９で出力不可ビットの値が出力不可状態に対応していると判断されたコンテンツが存在する場合（ＹＥＳ）には、ステップＳ１０で、そのコンテンツが出力不可状態であることを通知して、処理を終了（ステップＳ１１）する。
【００６５】
図９は、上記記録再生機器１５の変形例を示している。図９において、図７と同一部分に同一符号を付して説明すると、出力不可情報判定部２５の判定結果を出力不可情報記録部２７によって記録するようにしている。
【００６６】
このような構成によれば、デジタル放送受信機器１１から出力されたコンテンツを記録部２３に記録した場合、記録部２３に記録したコンテンツと出力不可情報記録部２７に記録された判定結果とを照合することにより、どの記録コンテンツが出力不可状態のときのものかを容易に判別することができる。
【００６７】
このため、例えば、記録部２３に記録されたコンテンツを再生したところ黒画面しか表示されなかった場合、出力不可情報記録部２７に記録された判定結果を参照することで、そのコンテンツが出力不可状態のときのものであることを容易に判別することができ、故障による記録不良と区別することが可能となる。
【００６８】
図１０は、記録再生機器１５の他の変形例を示している。図１０において、図９と同一部分に同一符号を付して説明すると、出力不可情報判定部２５の判定結果を記録停止制御部２８に供給し、出力不可状態であると判定されたコンテンツに対しては、記録停止制御部２８が記録部２３の記録動作を停止させるようにしている。
【００６９】
このような構成によれば、出力不可状態であると判定されたコンテンツを記録しないようにしたので、記録部２３における記録容量を節約することができる。また、予約記録等を行なった場合、出力不可情報記録部２７の記録内容と照合することにより、送信側の機器が出力不可状態になったために記録が行なわれなかったことを容易に認識することができる。
【００７０】
ここで、上記した実施の形態では、アナログ映像信号のＶＢＩ及びＩｓｏｃｈｒｏｎｏｕｓ伝送のＥｍｐｔｙパケットに含まれるＣＩＰヘッダに、出力不可情報を付加することについて説明したが、このような伝送方式に限らず、例えばデジタル映像データがイーサネット（Ｅｔｈｅｒｎｅｔ）を介してＲＴＰ（Ｒｅａｌ−Ｔｉｍｅ  Ｔｒａｎｓｐｏｒｔ  Ｐｒｏｔｏｃｏｌ）またはＨＴＴＰ（Ｈｙｐｅｒｔｅｘｔ  Ｔｒａｎｓｆｅｒ  Ｐｒｏｔｏｃｏｌ）で伝送される場合にも、出力不可情報を付加することができる。
【００７１】
図１１は、イーサネットを介してＲＴＰで伝送されるＭＰＥＧ２−ＴＳの１パケットの構造を示している。この１パケットは、Ｅｔｈｅｒ（Ｅｔｈｅｒｎｅｔ）ヘッダ、２０〜６０バイトのＩＰ（Ｉｎｔｅｒｎｅｔ  Ｐｒｏｔｏｃｏｌ）ヘッダ、８バイトのＵＤＰ（Ｕｓｅｒ  Ｄａｔａｇｒａｍ  Ｐｒｏｔｏｃｏｌ）ヘッダ、１２バイトのＲＴＰヘッダ及びＭＰＥＧ２対応のデジタルデータを含んでいる。
【００７２】
図１２は、上記ＲＴＰヘッダの詳細を示している。このＲＴＰヘッダは、ＲＴＰのバージョン番号Ｖ（Ｖｅｒｓｉｏｎ）、調整用ビットＰ（Ｐａｄｄｉｎｇ）、拡張ビットＸ（Ｅｘｔｅｎｓｉｏｎ）、ＣＳＲＣ（貢献ソース）識別子の数ＣＣ（ＣＳＲＣ  Ｃｏｕｎｔ）、Ｍ（Ｍａｒｋｅｒ）、ＰＴ（Ｐａｙｌｏａｄ  Ｔｙｐｅ）、シーケンス番号、タイムスタンプ、同期ソース（ＳＳＲＣ）識別子及び貢献ソース（ＣＳＲＣ）識別子を含んでいる。
【００７３】
図１３は、拡張ビットＸが「１」のとき、ＲＴＰヘッダの後ろに付加されるＲＴＰ拡張ヘッダの詳細を示している。このＲＴＰ拡張ヘッダは、ｄｅｆｉｎｅｄ  ｂｙ  ｐｒｏｆｉｌｅ、ｌｅｎｇｔｈ及びｈｅａｄｅｒ  ｅｘｔｅｎｔｉｏｎを有し、このｈｅａｄｅｒ  ｅｘｔｅｎｔｉｏｎ内の空きビットを、ＲＴＰデジタル映像データの出力不可を示すビットに設定する。
【００７４】
そして、ＲＴＰデジタル映像データに出力制限を加える場合には、ＲＴＰデジタル映像出力不可ビットを、ＲＴＰデジタル映像データの出力が不可であることを示す「１」に設定する。なお、ＲＴＰデジタル映像データに出力制限を加えない場合には、ＲＴＰデジタル映像出力不可ビットを「０」に設定する。
【００７５】
また、デジタル映像データがイーサネットを介してＨＴＴＰで伝送される場合には、図１４に示すように、ＨＴＴＰリクエストに対するレスポンスのＨＴＴＰヘッダの最後に出力不可情報を付加する。この場合、「ｏｎ」が出力不可を示し、「ｏｆｆ」が出力可能を示している。
【００７６】
なお、この発明は上記した実施の形態そのままに限定されるものではなく、実施段階ではその要旨を逸脱しない範囲で構成要素を種々変形して具体化することができる。
【００７７】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【００７８】
【発明の効果】
以上詳述したようにこの発明によれば、コピー制御機能により出力不可状態になったことを、受信側の機器で容易に検出し得るようにしたコンテンツ送信装置及びコンテンツ送信方法を提供することができる。また、この発明は、送信側の機器がコピー制御機能により出力不可状態になったことを容易に検出し得るコンテンツ受信装置及びコンテンツ受信方法を提供することができる。
【図面の簡単な説明】
【図１】この発明の実施の形態を示すもので、ネットワークシステムの概略を説明するために示すブロック構成図。
【図２】同ネットワークシステムにおけるデジタル放送受信機器の詳細を説明するために示すブロック構成図。
【図３】同デジタル放送受信機器から出力されるアナログ映像信号のＶＢＩに挿入されたデジタル制御情報のデータフォーマットを説明するために示す図。
【図４】同デジタル放送受信機器から出力されるＭＰＥＧ２−ＴＳパケットの構造を説明するために示す図。
【図５】同ＭＰＥＧ２−ＴＳパケットに含まれるＣＩＰヘッダの構造を説明するために示す図。
【図６】同デジタル放送受信機器における主要な動作を説明するために示すフローチャート。
【図７】同ネットワークシステムにおける記録再生機器の詳細を説明するために示すブロック構成図。
【図８】同記録再生機器における主要な動作を説明するために示すフローチャート。
【図９】同記録再生機器の変形例を説明するために示すブロック構成図。
【図１０】同記録再生機器の他の変形例を説明するために示すブロック構成図。
【図１１】同実施の形態におけるイーサネットを介してＲＴＰで伝送されるＭＰＥＧ２−ＴＳの１パケットの構造を説明するために示す図。
【図１２】同パケットに含まれるＲＴＰヘッダの詳細を説明するために示す図。
【図１３】同ＲＴＰヘッダに付加されるＲＴＰ拡張ヘッダの詳細を説明するために示す図。
【図１４】同実施の形態におけるイーサネットを介してＨＴＴＰで伝送されるＨＴＴＰヘッダを説明するために示す図。
【符号の説明】
１１…デジタル放送受信機器、１２…アンテナ、１３…アナログケーブル、１４…ＩＥＥＥ１３９４シリアルバス、１５…記録再生機器、１６…チューナ部、１７…信号処理部、１８…コンテンツ出力制御部、１９…出力不可情報出力部、２０…コピー制御情報検出部、２１…コピー制御情報判定部、２２…信号処理部、２３…記録部、２４…出力不可情報抽出部、２５…出力不可情報判定部、２６…出力不可情報通知部、２７…出力不可情報記録部、２８…記録停止制御部。
【図１】
2005025270.tif 000003
【図２】
2005025270.tif 000004
【図３】
2005025270.tif 000005
【図４】
2005025270.tif 000006
【図５】
2005025270.tif 000007
【図６】
2005025270.tif 000008
【図７】
2005025270.tif 000009
【図８】
2005025270.tif 000010
【図９】
2005025270.tif 000011
【図１０】
2005025270.tif 000012
【図１１】
2005025270.tif 000013
【図１２】
2005025270.tif 000014
【図１３】
2005025270.tif 000015
【図１４】
2005025270.tif 000016